(57)【要約】【課題】予約対象装置の予約情報が偽造されにくく、セキュリティレベルの高い予約情報管理システムを提供する。【解決手段】本願発明の予約情報管理システムは、予約対象装置と、予約対象装置の予約情報を管理する予約情報管理装置とを有し、予約情報管理装置は、予約時間情報を含む予約情報を秘密鍵を用いて暗号化して利用者の携帯端末に送信し、予約対象装置は、利用者の携帯端末から送信された暗号化された予約情報を近距離無線通信手段を用いて受信し、暗号化された予約情報を秘密鍵に対応した公開鍵で復号化して、復号化された予約情報に含まれる予約時間情報に基づき予約対象装置の利用可否を判断する。【選択図】  図２
2016040648.tif 000002
【特許請求の範囲】
【請求項１】
予約対象装置と、前記予約対象装置の予約情報を管理する予約情報管理装置とを有する予約情報管理システムであって、
前記予約情報管理装置は、少なくとも予約時間情報を含む前記予約情報の少なくとも一部を秘密鍵を用いて暗号化する暗号化手段と、暗号化された前記予約情報を携帯端末に送信する送信手段を備え、
前記予約対象装置は、前記携帯端末から送信された暗号化された前記予約情報を受信する近距離無線通信手段と、暗号化された前記予約情報を前記秘密鍵に対応した公開鍵で復号化する復号化手段と、復号化された前記予約情報に含まれる前記予約時間情報に基づき予約対象装置の利用可否を判断する判断手段とを備える
予約情報管理システム。
【請求項２】
予約対象装置と、前記予約対象装置の予約情報を管理する予約情報管理装置とを有する予約情報管理システムであって、
前記予約情報管理装置は、少なくとも予約時間情報を含む前記予約情報の少なくとも一部を秘密鍵を用いて暗号化する暗号化手段と、暗号化された前記予約情報と平文の前記予約情報を携帯端末に送信する送信手段を備え、
前記予約対象装置は、前記携帯端末から送信された暗号化された前記予約情報と平文の前記予約情報を受信する近距離無線通信手段と、暗号化された前記予約情報を前記秘密鍵に対応した公開鍵で復号化する復号化手段と、復号化された前記予約情報と平文の前記予約情報の比較結果と復号化された前記予約情報に含まれる前記予約時間情報とに基づき予約対象装置の利用可否を判断する判断手段とを備える
予約情報管理システム。
【請求項３】
予約対象装置と、前記予約対象装置の予約情報を管理する予約情報管理装置と、前記予約情報管理装置から受信した前記予約情報を前記予約対象装置に送信する携帯端末とを有する予約情報管理システムであって、
前記予約情報管理装置は、少なくとも予約時間情報を含む前記予約情報の少なくとも一部を秘密鍵を用いて暗号化する暗号化手段と、暗号化された前記予約情報と平文の前記予約情報を前記携帯端末に送信する送信手段を備え、
前記携帯端末は、暗号化された前記予約情報を前記秘密鍵に対応した公開鍵で復号化する手段と、復号化された前記予約情報に含まれる前記予約時間情報に基づき暗号化された前記予約情報と平文の前記予約情報の前記予約対象装置への送信可否を判断する送信可否判断手段を備え、
前記予約対象装置は、前記携帯端末から送信された暗号化された前記予約情報と平文の前記予約情報を受信する近距離無線通信手段と、暗号化された前記予約情報を前記秘密鍵に対応した公開鍵で復号化する復号化手段と、復号化された前記予約情報と平文の前記予約情報との比較結果に基づき予約対象装置の利用可否を判断する利用可否判断手段とを備える
予約情報管理システム。
【請求項４】
予約対象装置と、前記予約対象装置の予約情報を管理する予約情報管理装置と、前記予約情報管理装置から受信した前記予約情報を前記予約対象装置に送信する携帯端末とを有する予約情報管理システムであって、
前記予約情報管理装置は、少なくとも予約時間情報を含む前記予約情報の少なくとも一部を秘密鍵を用いて暗号化する暗号化手段と、暗号化された前記予約情報と平文の前記予約情報を前記携帯端末に送信する送信手段を備え、
前記携帯端末は、平文の前記予約情報に含まれる前記予約時間情報に基づき暗号化された前記予約情報と平文の前記予約情報の前記予約対象装置への送信可否を判断する送信可否判断手段を備え、
前記予約対象装置は、前記携帯端末から送信された暗号化された前記予約情報と平文の前記予約情報を受信する近距離無線通信手段と、暗号化された前記予約情報を前記秘密鍵に対応した公開鍵で復号化する復号化手段と、復号化された前記予約情報と平文の前記予約情報との比較結果に基づき予約対象装置の利用可否を判断する利用可否判断手段とを備える
予約情報管理システム。
【請求項５】
予約対象装置と、前記予約対象装置の予約情報を管理する予約情報管理装置とを有する予約情報管理システムであって、
前記予約情報管理装置は、少なくとも予約時間情報を含む前記予約情報の少なくとも一部を秘密鍵を用いて暗号化する暗号化手段と、暗号化された前記予約情報と平文の前記予約情報を携帯端末に送信する送信手段を備え、
前記予約対象装置は、
前記携帯端末において、前記予約情報に含まれる前記予約時間情報に基づき送信可否が判断され、前記携帯端末から送信された暗号化された前記予約情報と平文の前記予約情報を受信する近距離無線通信手段と、暗号化された前記予約情報を前記秘密鍵に対応した公開鍵で復号化する復号化手段と、復号化された前記予約情報と平文の前記予約情報との比較結果に基づき予約対象装置の利用可否を判断する利用可否判断手段とを備える
予約情報管理システム。
【請求項６】
予約対象装置と、前記予約対象装置の予約情報を管理する予約情報管理装置とを有する予約情報管理システムであって、
前記予約情報管理装置は、少なくとも予約時間情報を含む前記予約情報の少なくとも一部を秘密鍵を用いて暗号化する暗号化手段と、前記予約時間情報に基づき暗号化された前記予約情報と平文の前記予約情報の前記予約対象装置への送信可否を判断する送信可否判断手段と、暗号化された前記予約情報と平文の前記予約情報を携帯端末に送信する送信手段を備え、
前記予約対象装置は、前記携帯端末から送信された暗号化された前記予約情報と平文の前記予約情報を受信する近距離無線通信手段と、暗号化された前記予約情報を前記秘密鍵に対応した公開鍵で復号化する復号化手段と、復号化された前記予約情報と平文の前記予約情報との比較結果に基づき予約対象装置の利用可否を判断する利用可否判断手段とを備える
予約情報管理システム。
【発明の詳細な説明】
【技術分野】
【０００１】
本願発明は、複数の利用者が共同で予約対象装置を利用するシェアリングシステムにおいて予約情報を管理する予約情報管理システムに関する。
【背景技術】
【０００２】
近年、自動車等やレンタルボックスやコインロッカー等を共同で利用するシェアリングシステムが普及している。このようなシステムにおいては、不正利用を防ぐためのセキュリティ管理が重要である。このセキュリティ管理を専用のＩＣカードを用いることなく利用者の携帯電話を用いて電子的に行うシステムが提案されている（例えば、特許文献１、２、３参照）。
【先行技術文献】
【特許文献】
【０００３】
【特許文献１】特開２０１１−１５４４２０号公報
【特許文献２】特開２０１３−２５７６５３号公報
【特許文献３】特表２０１３−５０９６４０号公報
【発明の概要】
【発明が解決しようとする課題】
【０００４】
しかしながら、特許文献１のシステムでは、予約対象装置である車両の車載装置に予約情報を管理しているサーバと直接通信をするための通信設備を備える必要があるため、通信事業者との契約も必要となり、経済的負担が大きいという問題がある。さらに、予約対象装置をサーバと通信を行うための通信環境がよい場所に配置する必要があり、予約対象装置の配置場所にも制約が発生する可能性もある。
【０００５】
一方、特許文献２、３に記載のシステムでは、携帯端末を経由して予約対象装置である車両の車載装置に暗号化した予約情報を送信するため、予約対象装置にはサーバと通信をするための通信設備は不要となる。しかし、特許文献２のシステムでは、予約情報を車載装置が保有する固有鍵で暗号化するため、車載装置が分解される等してその固有鍵が盗まれる可能性がある。また、車両に固有な鍵を必要とするため、管理サーバでは対象となる車両の数だけ固有鍵の管理が必要となり、多数の鍵管理が必要なだけでなく、車両が追加されるたびに鍵登録の作業が必要となる。
【０００６】
また、特許文献３のシステムでは、予約情報を公開鍵で暗号化するため、予約情報を偽造されるおそれがある。例えば、予約情報を予約対象装置に送信する携帯端末において予約情報が偽造され、本来の予約情報を管理しているサーバで作成されていない予約情報に基づき車両が利用されてしまうおそれがある。
【０００７】
本願発明は、以上のような課題を解決するためになされたものであり、セキュリティレベルの高い予約情報管理システムを提供することを目的とする。
【課題を解決するための手段】
【０００８】
上述したような課題を解決するために、本願発明の予約情報管理システムは、予約対象装置と、前記予約対象装置の予約情報を管理する予約情報管理装置とを有する予約情報管理システムであって、前記予約情報管理装置は、少なくとも予約時間情報を含む前記予約情報の少なくとも一部を秘密鍵を用いて暗号化する暗号化手段と、暗号化された前記予約情報を携帯端末に送信する送信手段を備え、前記予約対象装置は、前記携帯端末から送信された暗号化された前記予約情報を受信する近距離無線通信手段と、暗号化された前記予約情報を前記秘密鍵に対応した公開鍵で復号化する復号化手段と、復号化された前記予約情報に含まれる前記予約時間情報に基づき予約対象装置の利用可否を判断する判断手段とを備える。
【０００９】
また、本願発明の予約情報管理システムは、予約対象装置と、前記予約対象装置の予約情報を管理する予約情報管理装置とを有する予約情報管理システムであって、前記予約情報管理装置は、少なくとも予約時間情報を含む前記予約情報の少なくとも一部を秘密鍵を用いて暗号化する暗号化手段と、暗号化された前記予約情報と平文の前記予約情報を携帯端末に送信する送信手段を備え、前記予約対象装置は、前記携帯端末から送信された暗号化された前記予約情報と平文の前記予約情報を受信する近距離無線通信手段と、暗号化された前記予約情報を前記秘密鍵に対応した公開鍵で復号化する手段と、復号化された前記予約情報と平文の前記予約情報の比較結果と復号化された前記予約情報に含まれる前記予約時間情報とに基づき予約対象装置の利用可否を判断する判断手段とを備える。
【００１０】
また、本願発明の予約情報管理システムは、予約対象装置と、前記予約対象装置の予約情報を管理する予約情報管理装置と、前記予約情報管理装置から受信した前記予約情報を前記予約対象装置に送信する携帯端末とを有する予約情報管理システムであって、前記予約情報管理装置は、少なくとも予約時間情報を含む前記予約情報の少なくとも一部を秘密鍵を用いて暗号化する暗号化手段と、暗号化された前記予約情報と平文の前記予約情報を前記携帯端末に送信する送信手段を備え、前記携帯端末は、暗号化された前記予約情報を前記秘密鍵に対応した公開鍵で復号化する復号化手段と、復号化された前記予約情報に含まれる前記予約時間情報に基づき暗号化された前記予約情報と平文の前記予約情報の前記予約対象装置への送信可否を判断する送信可否判断手段を備え、前記予約対象装置は、前記携帯端末から送信された暗号化された前記予約情報と平文の前記予約情報を受信する近距離無線通信手段と、暗号化された前記予約情報を前記秘密鍵に対応した公開鍵で復号化する復号化手段と、復号化された前記予約情報と平文の前記予約情報との比較結果に基づき予約対象装置の利用可否を判断する利用可否判断手段とを備える。
【００１１】
また、本願発明の予約情報管理システムは、予約対象装置と、前記予約対象装置の予約情報を管理する予約情報管理装置と、前記予約情報管理装置から受信した前記予約情報を前記予約対象装置に送信する携帯端末とを有する予約情報管理システムであって、前記予約情報管理装置は、少なくとも予約時間情報を含む前記予約情報の少なくとも一部を秘密鍵を用いて暗号化する暗号化手段と、暗号化された前記予約情報と平文の前記予約情報を前記携帯端末に送信する送信手段を備え、前記携帯端末は、平文の前記予約情報に含まれる前記予約時間情報に基づき暗号化された前記予約情報と平文の前記予約情報の前記予約対象装置への送信可否を判断する送信可否判断手段を備え、前記予約対象装置は、前記携帯端末から送信された暗号化された前記予約情報と平文の前記予約情報を受信する近距離無線通信手段と、暗号化された前記予約情報を前記秘密鍵に対応した公開鍵で復号化する復号化手段と、復号化された前記予約情報と平文の前記予約情報との比較結果に基づき予約対象装置の利用可否を判断する利用可否判断手段とを備える。
【００１２】
また、本願発明の予約情報管理システムは、予約対象装置と、前記予約対象装置の予約情報を管理する予約情報管理装置とを有する予約情報管理システムであって、前記予約情報管理装置は、少なくとも予約時間情報を含む前記予約情報の少なくとも一部を秘密鍵を用いて暗号化する暗号化手段と、暗号化された前記予約情報と平文の前記予約情報を携帯端末に送信する送信手段を備え、前記予約対象装置は、前記携帯端末において、前記予約情報に含まれる前記予約時間情報に基づき送信可否が判断され、前記携帯端末から送信された暗号化された前記予約情報と平文の前記予約情報を受信する近距離無線通信手段と、暗号化された前記予約情報を前記秘密鍵に対応した公開鍵で復号化する復号化手段と、復号化された前記予約情報と平文の前記予約情報との比較結果に基づき予約対象装置の利用可否を判断する利用可否判断手段とを備える。
【００１３】
また、本願発明の予約情報管理システムは、予約対象装置と、前記予約対象装置の予約情報を管理する予約情報管理装置とを有する予約情報管理システムであって、前記予約情報管理装置は、少なくとも予約時間情報を含む前記予約情報の少なくとも一部を秘密鍵を用いて暗号化する暗号化手段と、前記予約時間情報に基づき暗号化された前記予約情報と平文の前記予約情報の前記予約対象装置への送信可否を判断する送信可否判断手段と、暗号化された前記予約情報と平文の前記予約情報を携帯端末に送信する送信手段を備え、
前記予約対象装置は、前記携帯端末から送信された暗号化された前記予約情報と平文の前記予約情報を受信する近距離無線通信手段と、暗号化された前記予約情報を前記秘密鍵に対応した公開鍵で復号化する復号化手段と、復号化された前記予約情報と平文の前記予約情報との比較結果に基づき予約対象装置の利用可否を判断する利用可否判断手段とを備える予約情報管理システム。
【発明の効果】
【００１４】
本願発明によれば、予約対象装置の予約情報が偽造されにくく、セキュリティレベルの高い予約情報管理システムを提供することができる。
【図面の簡単な説明】
【００１５】
【図１】図１は、本願発明の前提となる予約情報管理システムの全体構成を表す図である。
【図２】図２は、本願発明における予約対象装置と、携帯端末および予約情報管理装置の構成を表す図である。
【図３】図３は、本願発明の第１の実施の形態に係る予約情報管理方法を説明するための図である。
【図４】図４は、本願発明の第１の実施の形態に係る予約対象装置と、携帯端末および予約情報管理装置における処理を説明するためのフローチャートである。
【図５】図５は、本願発明の第２の実施の形態に係る予約情報管理方法を説明するための図である。
【図６】図６は、本願発明の第２の実施の形態に係る予約対象装置と、携帯端末および予約情報管理装置における処理を説明するためのフローチャートである。
【図７】図７は、本願発明の第３の実施の形態に係る予約情報管理方法を説明するための図である。
【図８】図８は、本願発明の第３の実施の形態に係る予約対象装置と、携帯端末および予約情報管理装置における処理を説明するためのフローチャートである。
【図９】図９は、本願発明の第４の実施の形態に係る予約情報管理方法を説明するための図である。
【図１０】図１０は、本願発明の第４の実施の形態に係る予約対象装置と、携帯端末および予約情報管理装置における処理を説明するためのフローチャートである。
【発明を実施するための形態】
【００１６】
以下、本願発明の実施の形態について説明する。
【００１７】
図１は、本願発明の前提となる予約情報管理システムの全体構成を表す図である。
【００１８】
本願発明の予約情報管理システムは、所定の予約情報を用いて解錠処理を行う予約対象装置１０と、予約対象装置１０に予約情報を送信する携帯端末２０と、予約対象装置１０の予約情報を管理する予約情報管理装置３０から構成されている。
【００１９】
予約対象装置１０と携帯端末２０の間の情報の送受信は、Ｂｌｕｅｔｏｏｔｈ（登録商標）等の近距離無線通信を行い、携帯端末２０と予約情報管理装置３０の間の情報の送受信は、携帯電話通信や、無線ＬＡＮ通信等の公衆無線通信を用いる。予約対象装置１０と予約情報管理装置３０との間で情報の送受信は行われないので、予約対象装置１０には、公衆無線通信のための手段は不要である。
【００２０】
予約対象装置１０を利用したい利用者は、携帯端末２０から公衆無線通信を介して予約情報管理装置３０にアクセスし、予約対象装置１０の予約を行う。予約を受け付けた予約情報管理装置３０は、予約時間情報を含めた予約情報の少なくとも一部を暗号化して、携帯端末２０に送信する。暗号化された予約情報を受信した携帯端末２０は、暗号化された予約情報を予約対象装置１０に転送する。
【００２１】
利用者は、予約対象装置付近に移動し、携帯端末２０に備えられたＢｌｕｅｔｏｏｔｈ等の近距離無線通信を用いて、暗号化された予約情報を予約対象装置１０に送信する。暗号化された予約情報を受信した予約対象装置１０は、暗号化された予約情報を復号化して予約対象装置の利用可否を判断し、利用可の場合には解錠処理を行って利用者に予約対象装置１０の利用を許可する。
【００２２】
本願発明では、予約情報の暗号化方式として、公開鍵暗号化方式を用いる。ＲＳＡ暗号に代表される公開鍵暗号化方式は、暗号化／復号化を行う鍵として公開鍵と秘密鍵を用いる暗号化方式であり、公開鍵は誰でも取得できるオープンな鍵であり、秘密鍵は送信側あるいは受信側のみが取得できる安全な鍵である。公開鍵と秘密鍵は一対一の関係にあり、公開鍵で暗号化した場合、それと対になっている秘密鍵でのみ復号することができる。
【００２３】
逆に、秘密鍵で暗号化した場合には、それと対になっている公開鍵でのみ復号することができるので、暗号化された情報が偽造されていない真正な情報であると確認することができる（公開鍵による本人認証機能）。本願発明では、この公開鍵による本人認証機能を利用して、予約情報の偽造による不正使用を防止するものである。
【００２４】
図１を用いて、本願発明における予約対象装置の利用可否判断の基本的な考え方を説明する。本願発明では、復号化した予約情報と現在時刻の比較と、復号化した予約情報と平文の予約情報の比較の少なくともいずれかにより予約対象装置の利用可否を判断する。
【００２５】
まず、復号化した予約情報と現在時刻の比較により利用可否判断をする場合には、予約情報管理装置３０では、予約情報、例えば、予約開始時刻と予約終了時刻を並べた数字列を作成し、これを秘密鍵で暗号化して携帯端末に送信する。携帯端末２０では、正常時においては送信された暗号化予約情報を予約対象装置に転送する。一方、不正利用を意図した場合には、暗号化予約情報を偽造し予約対象装置に送信することが想定される。暗号化予約情報を受信した予約対象装置１０では、秘密鍵に対応した公開鍵を用いて暗号化予約情報を復号化し、現在時刻が予約開始時刻と予約終了時刻の間にあれば、利用可と判断することができる。暗号化情報が偽造された場合には、予約開始時刻や予約終了時刻は意味のある値になる可能性は極めて低いので、現在時刻と比較するだけで利用可否を判断することができる。
【００２６】
次に、復号化した予約情報と平文の予約情報の比較により利用可否判断をする場合には、予約情報管理装置３０では、暗号化した予約情報とともに暗号化されていない平文の予約情報を携帯端末に送信する。携帯端末２０では、正常時においては送信された暗号化予約情報と平文予約情報を予約対象装置に転送する。一方、不正利用を意図した場合には、暗号化予約情報と平文予約情報を偽造し予約対象装置に送信することが想定される。暗号化予約情報と平文予約情報を受信した予約対象装置１０では、秘密鍵に対応した公開鍵を用いて暗号化予約情報を復号化し、復号化した予約情報が平文の予約情報と一致すれば利用可と判断し、不一致の場合には暗号化情報が偽造されたものであると判断することができる。
【００２７】
図２は、本願発明における予約対象装置１０と、携帯端末２０および予約情報管理装置３０の構成を表す図である。
【００２８】
予約対象装置１０は、所定の解錠情報に基づき解錠される鍵部１１、携帯端末から解錠情報を受信するためのＢｌｕｅｔｏｏｔｈ等の近距離無線通信部１２、暗号化された予約情報の復号処理を行う復号処理部１３、復号化された情報に基づき予約対象装置の利用可否を判断する利用可否判断部１４とから構成されている。
【００２９】
携帯端末２０は、予約情報を予約対象装置１０に送信するためのＢｌｕｅｔｏｏｔｈ等の近距離無線通信部２１と、予約情報管理装置３０と予約情報等の送受信を行うための公衆無線通信部２２と必要に応じて暗号化された予約情報の復号処理を行う復号処理部２３、予約情報の送信可否を判断する送信可否判断部２４とから構成されている。第１および第２の実施の形態では、復号処理部２３および送信可否判断部２４は不要である。
【００３０】
予約情報管理装置３０は、携帯端末２０を含む外部ネットワーク４０との通信を行う送受信部３１と、予約対象装置の予約情報を管理する予約管理部３２と予約情報の暗号化を行う暗号処理部３３と予約情報の送信可否を判断する送信可否判断部３４および予約情報等を記憶しておく予約データベース３５とから構成されている。
【００３１】
＜第１の実施の形態＞
図３、４を用いて、本願発明の第１の実施の形態に係る予約情報管理方法について説明する。図３は、本願発明の第１の実施の形態に係る予約情報管理方法を説明するための図である。第１の実施の形態では、予約情報に含まれる予約時間情報のみを用いて、予約対象装置の利用可否を判断する。
【００３２】
予約対象装置を利用したい利用者は、携帯端末やＰＣ等から予約対象装置の予約情報を管理する予約情報管理装置にアクセスして、所望の予約対象装置の予約を行う。その際、予約対象装置と予約時間を特定して予約操作を実施する。尚、予約操作は、予約対象装置を解錠するための携帯端末から行うようにしてもよい。
【００３３】
予約情報管理装置では、予約対象装置の予約可否を判断し、予約可能な場合には、予約時間情報を含む予約情報を秘密鍵で暗号化して、携帯端末に送信する。その際、携帯端末と予約対象装置間で使用される近距離無線通信がＢｌｕｅｔｏｏｔｈの場合には、予約対象装置に搭載されているＢｌｕｅｔｏｏｔｈのデバイス名を、携帯端末に送る。尚、暗号化した予約情報を送信する携帯電話の情報は、予め予約情報管理装置に登録しておいてもよいし、予約操作を行う際に指定するようにしてもよい。
【００３４】
また、予約情報の全てを暗号化する必要はなく、予約情報の一部、例えば、予約時間情報の一部を暗号化するようにしてもよい。予約情報の暗号化は、公開鍵暗号化方式における秘密鍵により行う。予約情報管理装置のみが保有する秘密鍵により予約情報を暗号化することにより、予約情報の偽造による不正使用を防止することができる
【００３５】
利用者は、暗号化された予約情報を受信した携帯端末を持って、予約対象装置付近に移動し、近距離無線通信がＢｌｕｅｔｏｏｔｈの場合には、予約情報管理装置から送られたデバイス名を用いて、携帯端末と予約対象装置の間でペアリング処理を行った後、暗号化された予約情報を予約対象装置に送信する。
【００３６】
暗号化された予約情報を受信した予約対象装置は、予約情報を暗号化の際に用いた秘密鍵に対応した公開鍵を用いて復号化し、復号化した予約情報に含まれる予約時間情報を用いて予約対象装置の利用可否を判断する。例えば、復号化された予約情報に含まれる予約時間情報と現在の時刻を比較して、現在の時刻が予約された時間帯に含まれている場合には、予約対象装置を利用することができるが、そうでない場合には予約対象装置を利用することはできない。
【００３７】
このように、本実施の形態では、公開鍵暗号化方式の本人認証機能を利用して、予約情報管理装置において予約情報を秘密鍵で暗号化し、予約対象装置において秘密鍵に対応した公開鍵で復号化することにより、予約情報が真正な予約情報であるかを判定している。もし仮に、予約情報が偽造された場合でも、復号化の際に予約時間情報として意味のあるデータが得られないか、あるいは、時間情報として意味のあるデータが得られたとしても現在の時刻が含まれるような予約時間情報が得られる可能性は極めて低いので、予約対象装置の不正利用を防止することができる。
【００３８】
図４は、本願発明の第１の実施の形態に係る予約対象装置と、携帯端末および予約情報管理装置における処理を説明するためのフローチャートである。
【００３９】
図４（ａ）において、予約情報管理装置は、予約時間を特定した予約情報を携帯端末、ＰＣ等から受信すると（Ｓ１−１）、利用者が予約を希望する予約対象装置が予約可能かどうか判断する（Ｓ１−２）。
【００４０】
予約可能な場合には、予約時間情報を含む予約情報の少なくとも一部を秘密鍵で暗号化して（Ｓ１−３）、携帯端末に送信する（Ｓ１−４）。その際、予約対象装置に搭載されているＢｌｕｅｔｏｏｔｈのデバイス名を併せて携帯端末に送信する。
【００４１】
図４（ｂ）において、携帯端末では、予約情報管理装置から暗号化された予約情報を受信し（Ｓ２−１）、近距離無線通信がＢｌｕｅｔｏｏｔｈの場合には、予約対象装置との間でペアリングを行って（Ｓ２−２）、暗号化された予約情報を予約対象装置に送信する（Ｓ２−３）。
【００４２】
図４（ｃ）において、予約対象装置は、携帯端末との間でペアリング処理を行い（Ｓ３−１）、携帯端末から暗号化された予約情報を受信すると（Ｓ３−２）、公開鍵を用いて暗号化された予約情報を復号化する（Ｓ３−３）。復号化された予約情報に含まれる予約時間情報と現在の時刻を比較して、現在の時刻が予約された時間帯に含まれている場合には、予約対象装置の利用が可能であると判断し（Ｓ３−４）、解錠処理を行う（Ｓ３−５）。
【００４３】
＜第２の実施の形態＞
図５は、本願発明の第２の実施の形態に係る予約情報管理方法を説明するための図である。図６は、本願発明の第２の実施の形態に係る予約対象装置と、携帯端末および予約情報管理装置における処理を説明するためのフローチャートである。
【００４４】
第１の実施の形態では、予約情報に含まれる予約時間情報のみを用いて、予約対象装置の利用可否を判断したが、第２の実施の形態では、予約時間情報に基づく判断に加えて、復号化された予約情報と平文の予約情報を比較して利用可否を判断している点が異なる。
【００４５】
暗号化された予約情報と平文の予約情報を受信した携帯端末は（Ｓ５−１）、それらの情報を予約対象装置に送信する（Ｓ５−３）。予約対象装置では、暗号化された予約情報を公開鍵を用いて復号化し（Ｓ６−３）、復号化された予約情報と平文の予約情報を比較して（Ｓ６−４）、一致した場合には、復号化された予約情報に含まれる予約時間情報と現在の時刻を比較して、現在の時刻が予約された時間帯に含まれている場合には、予約対象装置の利用が可能であると判断し（Ｓ６−５）、解錠処理を行う（Ｓ６−６）。
【００４６】
このように、第２の実施の形態では、予約対象装置における利用可否判断において、復号化された予約情報と平文の予約情報を比較するようにしたので、第１の実施の形態に比較して、よりセキュリティレベルの高い予約情報管理方法を提供することができる。
【００４７】
＜第３の実施の形態＞
図７は、本願発明の第３の実施の形態に係る予約情報管理方法を説明するための図である。図８は、本願発明の第３の実施の形態に係る予約対象装置と、携帯端末および予約情報管理装置における処理を説明するためのフローチャートである。
【００４８】
第２の実施の形態では、予約対象装置において、復号化された予約情報と平文の予約情報を比較することによる利用可否の判断と予約時間情報に基づく利用可否判断を行っていたが、第３の実施の形態では、予約時間情報に基づく利用可否判断を、携帯端末において行っている点が異なる。
【００４９】
携帯端末では、暗号化された予約情報を公開鍵を用いて復号化し（Ｓ８−２）、復号化された予約情報に含まれる予約時間情報と現在の時刻を比較して、現在の時刻が予約された時間帯に含まれている場合には、予約対象装置への暗号化された予約情報等の送信が可能であると判断し（Ｓ８−３）、暗号化された予約情報等を予約対象装置に送信する（Ｓ８−５）。尚、携帯端末において、暗号化予約情報の復号化を行わず平文予約情報に含まれる予約情報と現在の時刻を比較して、送信可否を判断するようにしてもよい。
【００５０】
予約対象装置では、暗号化された予約情報を公開鍵を用いて復号化し（Ｓ９−３）、復号化された予約情報と平文の予約情報を比較して、一致した場合には、予約対象装置の利用が可能であると判断し（Ｓ９−４）、解錠処理を行う（Ｓ９−５）。
【００５１】
このように、第３の実施の形態では、携帯端末において、復号化されたあるいは平文の予約情報に含まれる予約時間情報と現在の時刻を比較して、予約対象装置への暗号化された予約情報等の送信可否を判断するようにしたので、予約対象装置における処理負担を軽減することができる。
【００５２】
＜第４の実施の形態＞
図９は、本願発明の第４の実施の形態に係る予約情報管理方法を説明するための図である。図１０は、本願発明の第４の実施の形態に係る予約対象装置と、携帯端末および予約情報管理装置における処理を説明するためのフローチャートである。
【００５３】
第３の実施の形態では、予約時間情報に基づく送信可否判断を携帯端末において行っていたが，第４の実施形態では、送信可否判断を予約情報管理装置で行っている点が異なる。
【００５４】
予約情報管理装置では、予約時間情報と現在の時刻を比較して、現在の時刻が予約開始時刻になると同時に、暗号化された予約情報等を携帯端末に送信する。
【００５５】
利用者は、携帯端末を持って予約対象装置付近に移動し、利用者の携帯端末は予約情報管理装置から予約情報等を受信すると、ただちに予約対象装置に送信する。
【００５６】
予約対象装置では、暗号化された予約情報を公開鍵を用いて復号化し（Ｓ１２−３）、復号化された予約情報と平文の予約情報を比較して、一致した場合には、予約対象装置の利用が可能であると判断し（Ｓ１２−４）、解錠処理を行う（Ｓ１２−５）。
【００５７】
このように、第４の実施の形態では、予約情報管理装置において、予約情報に含まれる予約開始時刻と現在の時刻を比較して、携帯端末への暗号化された予約情報等の送信可否を判断するようにしたので、携帯端末における処理負担を軽減することができる。
【産業上の利用可能性】
【００５８】
以上のように、本願発明の実施の形態によれば、予約対象装置の予約情報が偽造されにくく、セキュリティレベルの高い予約情報管理システムを提供することができる。
【００５９】
本願発明は、自動車や自転車等のシェアリングシステムやレンタルボックスやコインロッカー、会議室等を共同で利用する場合の鍵管理システムに利用することができる。
【００６０】
例えば、自動車の共同利用を行うカーシェアリングシステムに用いた場合、自動車の鍵が保管されている電子錠ＢＯＸを解錠するためのシステムとして用いることができる。
【００６１】
また、レンタルボックスやコインロッカー、会議室等を共同で利用する場合の鍵管理システムに用いた場合には、レンタルボックスやコインロッカー、会議室を解錠するための鍵として携帯電話から送信する解錠信号を用いることができる。
【符号の説明】
【００６２】
１０…予約対象装置、１１…鍵部、１２…近距離無線通信部、１３…復号処理部、１４…利用可否判断部、２０…携帯端末、２１…近距離無線通信部、２２…公衆無線通信部、２３…復号処理部、２４…送信可否判断部、３０…予約情報管理装置、３１…送受信部、３２…予約管理部、３３…暗号処理部、３４…送信可否判断部、３５…予約データベース、４０…外部ネットワーク。
【図１】
2016040648.tif 000003
【図２】
2016040648.tif 000004
【図３】
2016040648.tif 000005
【図４】
2016040648.tif 000006
【図５】
2016040648.tif 000007
【図６】
2016040648.tif 000008
【図７】
2016040648.tif 000009
【図８】
2016040648.tif 000010
【図９】
2016040648.tif 000011
【図１０】
2016040648.tif 000012